(57)【要約】【課題】傾斜搬送ガイドの、コンタクトガラス近傍に設けられたラベル形式の原稿サイズ指示部の剥がれや、その箇所における反りの発生を防止して、画像の読取りに係る安定した使い勝手を維持することが可能な画像読取装置を提供する。【解決手段】画像読取装置５０は、下方に向かって原稿搬送装置２０の外部に出た原稿を再び上方の原稿搬送装置２０内部に誘導する傾斜搬送ガイド５５を備えるとともに、この傾斜搬送ガイド５５が、第２画像読取部５２の第２コンタクトガラス５４近傍に設けられたラベル形式の原稿サイズ指示部５５ｂと、この原稿サイズ指示部５５ｂと第２コンタクトガラス５４との間に設けられ、原稿幅方向に長く延びて上方に突出する突起部５５ｃとを備える。これにより、原稿サイズを指示するラベルの粘着面の箇所に、第２コンタクトガラス５４上の原稿や、使用者の手指、衣服などが侵入するのを阻止することができる。【選択図】図６
2010124285.tif 000002
【特許請求の範囲】
【請求項１】
上方に配置された原稿搬送装置内を搬送される過程で原稿の画像を読取る第１画像読取部と、コンタクトガラス上に載置された原稿の画像を読取る第２画像読取部と、第１画像読取部と第２画像読取部との間に設けられ、第１画像読取部の箇所において下方に向かって前記原稿搬送装置の外部に出た原稿を再び上方の原稿搬送装置内部に誘導する、原稿搬送方向と直角をなす原稿幅方向に長く延びる傾斜搬送ガイドとを備えた画像読取装置において、
前記傾斜搬送ガイドは、前記第２画像読取部のコンタクトガラス近傍に設けられたラベル形式の原稿サイズ指示部と、この原稿サイズ指示部とコンタクトガラスとの間に設けられ、原稿幅方向に長く延びて上方に突出する突起部とを備えることを特徴とする画像読取装置。
【請求項２】
前記突起部は、前記第２画像読取部のコンタクトガラスが設けられた側の箇所に、原稿幅方向に長く延び、コンタクトガラスに接近するに従って下降する傾斜面を有することを特徴とする請求項１に記載の画像読取装置。
【請求項３】
請求項１または請求項２に記載の画像読取装置を搭載したことを特徴とする画像形成装置。
【発明の詳細な説明】
【技術分野】
【０００１】
本発明は、複写機などに用いられる画像読取装置に関する。また、この画像読取装置を搭載した画像形成装置に関する。
【背景技術】
【０００２】
複写機などに用いられる画像読取装置は、一般的に、コンタクトガラス上を通過する、或いはコンタクトガラス上に載置された原稿に向かって光を照射し、この反射光を受けて原稿表面の画像情報を読取るものである。コンタクトガラスは、透明ガラスで構成され、装置本体の上面の箇所に設けられている。コンタクトガラス下方の装置本体内部には、原稿面に向かって光を照射する光源や、その反射光を所定の方向に導くためのミラー、結像レンズ、撮像素子であるＣＣＤ（Ｃｈａｒｇｅ  Ｃｏｕｐｌｅｄ  Ｄｅｖｉｃｅ）などが設けられている。
【０００３】
画像読取装置には、その上方に配置された原稿搬送装置内を搬送される過程で原稿の画像を次々と読取る機能と、コンタクトガラス上に載置された原稿の画像を１枚ずつ読取る機能とを兼ね備えたものがある。この場合、画像読取装置は、原稿搬送装置内を搬送される過程で原稿の画像を読取る第１画像読取部と、コンタクトガラス上に載置された原稿の画像を読取る第２画像読取部とを備えている。第１画像読取部及び第２画像読取部には、各々原稿画像に向かって光を照射するためのコンタクトガラスが設けられている。このような構造を有する原稿読取装置の一例を、特許文献１に見ることができる。
【０００４】
特許文献１に記載された画像読取装置は、上記第１画像読取部に相当する箇所に設けられた流し読みガラスと、上記第２画像読取部に相当する箇所に設けられたプラテンガラスとの間に、流し読みガラスの箇所において下方に向かって自動原稿送り装置（原稿搬送装置）の外部に出た原稿を、再び上方の自動原稿送り装置内部に誘導するためのすくい上げ部を備えている。
【特許文献１】特開２００５−８３０９号公報
【発明の開示】
【発明が解決しようとする課題】
【０００５】
特許文献１に記載された画像読取装置では、すくい上げ部を有する部材（傾斜搬送ガイド）が、プラテンガラス近傍の箇所に原稿サイズ指示部を備えている。この原稿サイズ指示部がラベル形式で設けられている場合、プラテンガラス上の原稿や、使用者の手指、衣服などが引っ掛かり、ラベルが剥がれ易くなることが懸念されている。また、この部材のプラテンガラス近傍の箇所は、肉厚が薄いことが多く、反りが発生し易くなっていることも懸念されている。
【０００６】
本発明は上記の点に鑑みなされたものであり、第１画像読取部の箇所において下方に向かって原稿搬送装置の外部に出た原稿を再び上方の原稿搬送装置内部に誘導する傾斜搬送ガイドを備えた画像読取装置において、傾斜搬送ガイドの、コンタクトガラス上に載置された原稿の画像を読取る第２画像読取部のコンタクトガラス近傍に設けられたラベル形式の原稿サイズ指示部の剥がれや、その箇所における反りの発生を防止して、画像の読取りに係る安定した使い勝手を維持することが可能な画像読取装置を提供することを目的とする。また、このような画像読取装置を搭載した画像形成装置を提供することを目的とする。
【課題を解決するための手段】
【０００７】
上記の課題を解決するため、本発明は、上方に配置された原稿搬送装置内を搬送される過程で原稿の画像を読取る第１画像読取部と、コンタクトガラス上に載置された原稿の画像を読取る第２画像読取部と、第１画像読取部と第２画像読取部との間に設けられ、第１画像読取部の箇所において下方に向かって前記原稿搬送装置の外部に出た原稿を再び上方の原稿搬送装置内部に誘導する、原稿搬送方向と直角をなす原稿幅方向に長く延びる傾斜搬送ガイドとを備えた画像読取装置において、前記傾斜搬送ガイドは、前記第２画像読取部のコンタクトガラス近傍に設けられたラベル形式の原稿サイズ指示部と、この原稿サイズ指示部とコンタクトガラスとの間に設けられ、原稿幅方向に長く延びて上方に突出する突起部とを備えることとした。
【０００８】
上記構成の画像読取装置において、前記突起部は、前記第２画像読取部のコンタクトガラスが設けられた側の箇所に、原稿幅方向に長く延び、コンタクトガラスに接近するに従って下降する傾斜面を有することとした。
【０００９】
また本発明では、上記画像読取装置を画像形成装置に搭載することとした。
【発明の効果】
【００１０】
本発明の構成によれば、上方に配置された原稿搬送装置内を搬送される過程で原稿の画像を読取る第１画像読取部と、コンタクトガラス上に載置された原稿の画像を読取る第２画像読取部と、第１画像読取部と第２画像読取部との間に設けられ、第１画像読取部の箇所において下方に向かって前記原稿搬送装置の外部に出た原稿を再び上方の原稿搬送装置内部に誘導する、原稿搬送方向と直角をなす原稿幅方向に長く延びる傾斜搬送ガイドとを備えた画像読取装置において、前記傾斜搬送ガイドは、前記第２画像読取部のコンタクトガラス近傍に設けられたラベル形式の原稿サイズ指示部と、この原稿サイズ指示部とコンタクトガラスとの間に設けられ、原稿幅方向に長く延びて上方に突出する突起部とを備えることとしたので、原稿サイズを指示するラベルの粘着面の箇所に、コンタクトガラス上の原稿や、使用者の手指、衣服などが侵入するのを阻止することができる。さらに、突起部を設けることによって、傾斜搬送ガイドの原稿サイズ指示部の箇所における原稿幅方向の剛性を高めることが可能である。これにより、傾斜搬送ガイドの、ラベル形式の原稿サイズ指示部の剥がれや、その箇所における反りの発生を防止することができる。したがって、画像の読取りに係る安定した使い勝手を維持することが可能な画像読取装置を提供することができる。
【００１１】
また、前記突起部は、前記第２画像読取部のコンタクトガラスが設けられた側の箇所に、原稿幅方向に長く延び、コンタクトガラスに接近するに従って下降する傾斜面を有することとしたので、コンタクトガラスに対向する形で上方の原稿搬送装置底面に設けられた原稿押さえ板が、コンタクトガラス表面に当接する際、傾斜搬送ガイド側に寄った場合に、傾斜面の傾斜を利用してコンタクトガラス側に移動させることができる。これにより、傾斜搬送ガイドの、ラベル形式の原稿サイズ指示部の剥がれや、その箇所における反りの発生を防止できることに加えて、コンタクトガラス上に載置された原稿を確実に押さえることが可能である。したがって、画像の読取りに係る使い勝手をさらに向上させ、高画質な画像の読取りが可能な画像読取装置を提供することができる。
【００１２】
また本発明では、上記原稿読取装置を画像形成装置に搭載することとしたので、第１画像読取部の箇所において下方に向かって原稿搬送装置の外部に出た原稿を再び上方の原稿搬送装置内部に誘導する傾斜搬送ガイドを備えた画像読取装置に関して、傾斜搬送ガイドの、コンタクトガラス上に載置された原稿の画像を読取る第２画像読取部のコンタクトガラス近傍に設けられたラベル形式の原稿サイズ指示部の剥がれや、その箇所における反りの発生を防止して、画像の読取りに係る安定した使い勝手を維持することが可能な画像形成装置を提供することができる。
【発明を実施するための最良の形態】
【００１３】
以下、本発明の実施形態を図１〜図６に基づき説明する。
【００１４】
最初に、本発明の実施形態に係る画像読取装置を搭載した画像形成装置について、図１を用いてその構造の概略を説明しつつ、画像出力動作を説明する。図１は、画像形成装置の模型的垂直断面正面図である。図中の、実線矢印は用紙の搬送経路及び搬送方向を、一点鎖線矢印はレーザ光Ｌを示す。
【００１５】
図１に示すように、画像形成装置１の本体２の内部下方には、給紙カセット３が配置されている。給紙カセット３は、その内部に、印刷前のカットペーパー等の用紙Ｐを積載して収容している。そして、この用紙Ｐは、図１において給紙カセット３の左上方に向けて、１枚ずつ分離されて送り出される。給紙カセット３は、本体２の正面側から水平に引き出すことが可能である。
【００１６】
本体２の内部であって、給紙カセット３の左方には、第１用紙搬送部４が備えられている。第１用紙搬送部４は、本体２の左側面に沿って略垂直に形設されている。そして、第１用紙搬送部４は、給紙カセット３から送り出された用紙Ｐを受け取り、本体２の左側面に沿って垂直上方に転写部９まで搬送する。
【００１７】
給紙カセット３の上方であって、第１用紙搬送部４が形設された本体２の左側面とは反対側の側面である右側面の箇所には、手差し給紙部５が備えられている。手差し給紙部５には、給紙カセット３に入っていないサイズの用紙や、厚紙、ＯＨＰシートのように１枚ずつ手で送り込みたいものが載置される。
【００１８】
手差し給紙部５の左方には、第２用紙搬送部６が備えられている。第２用紙搬送部６は、給紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙などを受け取り、略水平に第１用紙搬送部４まで搬送する。
【００１９】
一方、画像形成装置１の本体２の上面には原稿搬送装置２０が、その下方の本体２内には画像読取装置５０が搭載されている。ユーザーが原稿の複写を行う場合には、文字や図形、模様などの画像が描かれた原稿を、原稿搬送装置２０に積載したり、画像読取装置５０上面のコンタクトガラス（図示せず）上に載置したりする。原稿搬送装置２０では１枚ずつ分離して原稿が送り出され、画像読取装置５０によってその画像が読取られる。コンタクトガラス上の原稿に対しては、画像読取装置５０内で光を走査させることによって画像が読取られる。
【００２０】
原稿画像の読取り、すなわち印刷の開始は、本体２の上部であって、画像読取装置５０の正面側に備えられた操作パネル（図示せず）を用いて実行される。ユーザーは、この操作パネルから、使用する用紙サイズや拡大縮小、両面印刷の有無といった印刷条件などを入力して設定することが可能である。
【００２１】
原稿の画像データは、第２用紙搬送部６の上方であって、本体２の中央部に配置された露光装置７に送られる。露光装置７により、画像データに基づいて制御されたレーザ光Ｌが、画像形成部８に向かって照射される。
【００２２】
第１用紙搬送部４の上方であって、露光装置７の左方には、画像形成部８及び転写部９が備えられている。画像形成部８では、露光装置７によって照射されたレーザ光Ｌにより原稿画像の静電潜像が形成され、この静電潜像からトナー像が現像される。トナーは、露光装置７の上方に備えられたトナーコンテナ１０から画像形成部８に補給される。画像形成部８で形成されたトナー像は、第１用紙搬送部４によって同期をとって送られてきた印刷前の用紙Ｐに、転写部９にて転写される。
【００２３】
転写部９の上方には、定着装置１１が備えられている。転写部９にて未定着トナー像を担持した用紙Ｐは、定着装置１１へと送られ、熱ローラと加圧ローラとによりトナー像が加熱、加圧されて定着される。
【００２４】
定着装置１１の上方には、用紙案内装置１２が備えられている。定着装置１１から排出された用紙Ｐは、両面印刷を行わない場合、用紙案内装置１２から画像形成装置１の胴内に設けられた胴内用紙排出部１３に排出される。
【００２５】
用紙案内装置１２から胴内用紙排出部１３に向かって用紙Ｐが排出されるその排出口部分は、スイッチバック部１４としての機能を果たす。両面印刷を行う場合には、このスイッチバック部１４において、定着装置１１から排出された用紙Ｐの搬送方向が変更される。そして、用紙Ｐは、用紙案内装置１２を通過し、定着装置１１の左方、及び転写部９の左方に設けられた両面印刷用用紙搬送路１５を通して下方に送られ、再度第１用紙搬送部４を経て転写部９へと送られる。
【００２６】
続いて、上記画像形成装置１の原稿搬送装置２０及び画像読取装置５０について、図２及び図３を用いてその構造の概略を説明する。図２は原稿搬送装置及び画像読取装置の模型的垂直断面正面図、図３は画像形成装置上部の模型的部分左側面図である。なお、図２における原稿搬送装置２０内の実線矢印は、原稿の搬送経路及び搬送方向を示す。
【００２７】
原稿搬送装置２０は、図２に示すように、原稿載置トレイ２１、リフト板２２、原稿送り部３０、及び原稿排出トレイ２３を備えている。
【００２８】
原稿載置トレイ２１は、原稿搬送装置２０の上部に設けられている。原稿載置トレイ２１には、原稿を上方から載置して、積み上げることができる。原稿載置トレイ２１は、原稿搬送方向の上流から下流、すなわち図２において右方から左方に向かって下る傾斜をなす構成となっている。
【００２９】
リフト板２２は、原稿載置トレイ２１の原稿搬送方向下流部に設けられている。リフト板２２は、原稿載置トレイ２１の載置面に沿った形をなす板状部材で構成されている。そして、リフト板２２は、その上流部に設けられた略水平な支軸２２ａを中心とし、下流端を自由端として、原稿搬送方向に沿った垂直面内で回転可能にして設けられている。リフト板２２は、原稿供給時、駆動機構（図示せず）により支軸２２ａを中心として回転変位せしめられ、原稿載置トレイ２１に積み上げられた原稿の下流端が、その上方に配置された給紙機構３２に接触するように、上方に向かって付勢される。
【００３０】
原稿送り部３０は、原稿載置トレイ２１の原稿搬送方向下流端に、原稿供給口３１と、給紙機構３２とを備えている。給紙機構３２は、原稿載置トレイ２１に積み上げられた原稿を、最上層から１枚ずつ分離し、原稿供給口３１を通して原稿送り部３０の内部に向かって供給する。原稿供給口３１の下流側には、原稿送り部３０の内部に向かって第１原稿搬送路３３が延びている。
【００３１】
第１原稿搬送路３３の先は、原稿搬送装置２０の底面に到達し、この箇所に画像読取装置５０の第１画像読取部５１が設けられている。また、第１原稿搬送路３３に続いて、第１画像読取部５１の箇所から第２原稿搬送路３４が延びている。第１画像読取部５１に送り込まれた原稿は、第１原稿搬送路３３から第２原稿搬送路３４へとさらに下流側へ、すなわち図２において第１画像読取部５１の箇所を左方から右方へと移動する最中に、その下方の本体２内に設けられた画像読取装置５０により、下側の面である第１面の画像が読取られる。
【００３２】
第２原稿搬送路３４の、第１画像読取部５１の箇所の下流には、原稿切替部３５が設けられている。原稿の、表裏両面の画像の読取りが必要な場合、原稿切替部３５に到達した原稿は、第２原稿搬送路３４の上方へと振り分けられる。そして、その原稿搬送方向下流側に続く原稿反転部３６にて搬送方向が反対方向に変更される。搬送方向が変更された原稿は、原稿切替部３５の上側を経て、第１画像読取部５１の上流側の第１原稿搬送路３３に送り込まれ、再度第１画像読取部５１で第２面の画像が読取られる。
【００３３】
なお、第１画像読取部５１で原稿の表裏両面の画像を読取る方法のほかに、第１原稿搬送路３３の、第１画像読取部５１のすぐ上流側に備えられたボックス形状のコンタクトイメージセンサ３７によって第２面の画像を読取る方法もある。これによると、第１原稿搬送路３３の、原稿供給口３１から第１画像読取部５１の箇所までの領域を原稿が通過するとき、最初にコンタクトイメージセンサ３７で第２面の画像が、次に第１画像読取部５１で第１面の画像が読取られる。したがって、第１原稿搬送路３３及び第２原稿搬送路３４を１回搬送するだけで、原稿の表裏両面の画像を読取ることが可能である。
【００３４】
原稿切替部３５の下流であって、第２原稿搬送路３４の下流端には、原稿排出口３８が設けられている。画像の読取りが済んだ原稿は、原稿排出口３８から原稿排出トレイ２３に排出される。
【００３５】
原稿排出トレイ２３は、原稿載置トレイ２１の下方に備えられ、これらのトレイが上下二段にして構成されている。原稿排出トレイ２３に排出された原稿は、原稿搬送装置２０の手前側から取り出すことができる。
【００３６】
原稿載置トレイ２１と、原稿排出トレイ２３とは、互いの原稿搬送方向を逆にして、すなわち図２において原稿載置トレイ２１は原稿を左方に向かって送り出し、原稿排出トレイ２３は原稿を右方に向かって排出する形にして構成されている。これにより、原稿供給口３１と原稿排出口３８とが、画像読取装置５０の第１画像読取部５１が存在する方向に対して各トレイの同じ側、すなわち図２において左側に設けられている。そして、原稿供給口３１から第１画像読取部５１の箇所を経て原稿排出口３８まで延びる第１原稿搬送路３３及び第２原稿搬送路３４は、図２に示すように、上下方向にＵ字形状に、すなわち正面から見てＵ字形状に湾曲した形で設けられている。
【００３７】
上記構成により、原稿搬送装置２０は、原稿載置トレイ２１に積み上げられた原稿を、一枚ずつ分離して原稿送り部３０内に送り込み、画像読取装置５０の第１画像読取部５１でその画像を読取らせた後、原稿排出トレイ２３に排出する。
【００３８】
そして、原稿搬送装置２０は、図３に示すように、本体２の背面側上部の箇所に設けられたヒンジ機構１６により、本体２に対して支持されている。ヒンジ機構１６は、原稿搬送方向と略平行、すなわち正面から見た原稿搬送装置２０の左右方向に略水平に２個並べて配置され、左右方向に略水平に延びる回転軸を有している。原稿搬送装置２０は、図３に実線及び二点鎖線で示したように、ヒンジ機構１６の回転軸の箇所を中心として正面側を上下に変位させることにより、その下方に設けられた本体２上面、すなわち画像読取装置５０に対して開閉自在な開閉体となっている。
【００３９】
画像読取装置５０は、図２に示すように、第１画像読取部５１、第２画像読取部５２、光走査装置６０、及び撮像ユニット７０を備えている。
【００４０】
第１画像読取部５１は、本体２の、正面から見て左側上面の箇所に設けられ、第１コンタクトガラス５３を備えている。第１コンタクトガラス５３は、薄い板状の透明ガラスで構成され、原稿幅方向に細長く延びる形状をなしている。第１画像読取部５１では、前述のように、原稿搬送装置２０内を搬送される過程で、第１コンタクトガラス５３上方の箇所を通過する原稿の画像が読取られる。
【００４１】
第２画像読取部５２は、本体２上面の、第１画像読取部５１の箇所を除く大半の箇所を占める形で設けられ、第２コンタクトガラス５４を備えている。第２コンタクトガラス５４は、第１コンタクトガラス５３と同様に薄い板状の透明ガラスで構成され、原稿の表面全体を一度に光走査できるよう、原稿幅方向及び原稿搬送方向に広く延びる形状をなしている。
【００４２】
一方、第２コンタクトガラス５４と対向する形で、その上方であって原稿搬送装置２０の底面部には、原稿押さえ板３９が設けられている。原稿押さえ板３９は、第２コンタクトガラス５４表面をカバーする矩形の平板状の部材である。原稿は、読取り面が下になるように第２コンタクトガラス５４の表面に広げて載置され、原稿搬送装置２０を画像読取装置５０に対して閉鎖することで原稿押さえ板３９によって押圧され、保持される。
【００４３】
光走査装置６０は、第１画像読取部５１及び第２画像読取部５２に下方に設けられ、第１光学系ユニット６１と、第２光学系ユニット６２とを備えている。
【００４４】
光走査装置６０の第１光学系ユニット６１は、光源６３と、第１ミラー６４とを備えている。光源６３は、原稿の読取り面、すなわち上方に向かって光を照射すべく、第１コンタクトガラス５３及び第２コンタクトガラス５４のすぐ下方に配置されている。第１ミラー６４は、原稿の読取り面で反射した光源６３の反射光を受けて、さらに９０度の角度で略水平に方向転換させるべく所定の傾きが設定され、コンタクトガラスの下方に配置されている。これら光源６３と、第１ミラー６４とは、図示しない第１光学系支持部材に固定されている。
【００４５】
光走査装置６０の第２光学系ユニット６２は、第２ミラー６５と、第３ミラー６６とを備えている。第２ミラー６５は、第１光学系ユニット６１の第１ミラー６４が反射させた光を受けて、さらに９０度の角度で略垂直下方に方向転換させるべく所定の傾きが設定され、第１ミラー６４と略同じ高さに配置されている。第３ミラー６６は、第２ミラー６５が反射させた光を受けて、さらに９０度の角度で略水平に方向転換させるべく、第２ミラー６５の略真下に配置されている。これら第２ミラー６５と、第３ミラー６６とは、図示しない第２光学系支持部材に固定されている。
【００４６】
なお、第１光学系ユニット６１及び第２光学系ユニット６２に設けられた光源６３、及び各ミラーは、原稿幅方向にコンタクトガラスと略同じ長さで延びる細長い形状で構成されている。
【００４７】
第１光学系ユニット６１及び第２光学系ユニット６２を備えた光走査装置６０は、第２コンタクトガラス５４の表面に広げて載置された原稿の読取り面全体の画像情報を読取るべく第２コンタクトガラス５４表面と平行に、副走査方向、すなわち本体２の左右方向に往復移動できるようになっている。このため画像読取装置５０の内部には、図２において左右方向に延びる移動用のレール（図示せず）が設けられている。そして、光走査装置６０は、そのレールに沿って、原稿全体の画像情報を読取るべく移動することが可能である。なお、第１画像読取部５１で原稿画像を読取る場合、光走査装置６０は、第１コンタクトガラス５３に対応する、図２における左端寄りの箇所に移動してその位置が保持される。
【００４８】
撮像ユニット７０は、画像読取装置５０の内部下部に固定されている。撮像ユニット７０は、取り付け台７１の上部に、結像レンズ７２と、撮像素子であるＣＣＤ７３を備えている。第２光学系ユニット６２の第３ミラー６６によって反射された、原稿の読取り面からの反射光は、結像レンズ７２に入射する。そして、結像レンズ７２は、光路の下流側に設けられたＣＣＤ７３の表面上に、反射光を結像する。このようにして、ＣＣＤ７３を用いて原稿の画像を読取ることができる。なお、ＣＣＤ７３は、ラインセンサであって、光走査装置６０の移動方向（副走査方向）と直角をなす原稿幅方向、すなわち図２において紙面奥行き方向となる主走査方向に原稿面を走査して、その画像情報を得ることが可能である。
【００４９】
次に、画像読取装置５０の第１画像読取部５１周辺の詳細な構成について、図４〜図６を用いて説明する。図４は第１画像読取部周辺を示す部分拡大垂直断面正面図、図５は第１画像読取部近傍の傾斜搬送ガイドを示す斜視図、図６は傾斜搬送ガイド周辺を示す部分拡大正面図である。
【００５０】
画像読取装置５０の第１画像読取部５１の箇所には、前述ように、第１コンタクトガラス５３が備えられている（図４参照）。原稿搬送装置２０の、第１画像読取部５１の箇所には、第１コンタクトガラス５３に対向する形で、読取ガイド部材４０が設けられている。原稿搬送装置２０の原稿送り部３０内を搬送される原稿は、第１画像読取部５１の箇所において、第１コンタクトガラス５３と読取ガイド部材４０との間の箇所を通過し、その過程で原稿の下側の面の画像が読取られる。
【００５１】
そして、画像読取装置５０は、第１コンタクトガラス５３の原稿搬送方向下流側であって、第２コンタクトガラス５４との間の箇所に、傾斜搬送ガイド５５を備えている。
【００５２】
傾斜搬送ガイド５５は、図５に示すように、原稿搬送方向と直角をなす原稿幅方向に長く延びる略薄板形状をなす部材である。傾斜搬送ガイド５５は、その上面であって、第１コンタクトガラス５３側、すなわち原稿搬送方向上流側から搬送されてきた原稿が当接する箇所に、傾斜部５５ａを備えている。傾斜部５５ａは、第１画像読取部５１で原稿に描画された画像を読取るため、第１画像読取部５１の箇所において下方に向かって原稿搬送装置２０の外部に出た原稿を、再び上方の原稿搬送装置２０内部に誘導すべく、下流側に進むに従って上昇する傾斜を有している。
【００５３】
また、傾斜搬送ガイド５５は、第２コンタクトガラス５４近傍、すなわち正面から見て右側の部分に、原稿幅方向に長く延びる原稿サイズ指示部５５ｂを備えている。原稿サイズ指示部５５ｂは、裏面に粘着剤を有するシート状のラベル形式で構成され、傾斜搬送ガイド５５に貼付されている。原稿サイズ指示部５５ｂは、第２コンタクトガラス５４表面に載置される原稿のサイズ及び置き場所を指示するためのものであり、原稿幅方向に並べて目盛りやサイズ表記が記載されている。
【００５４】
さらに、傾斜搬送ガイド５５は、図５及び図６に示すように、原稿サイズ指示部５５ｂと第２コンタクトガラス５４との間の箇所に、突起部５５ｃを備えている。突起部５５ｃは、原稿幅方向に細長く延び、上方に向かって突出している。
【００５５】
このようにして、上方に配置された原稿搬送装置２０内を搬送される過程で原稿の画像を読取る第１画像読取部５１と、第２コンタクトガラス５３上に載置された原稿の画像を読取る第２画像読取部５２と、第１画像読取部５１と第２画像読取部５２との間に設けられ、第１画像読取部５１の箇所において下方に向かって原稿搬送装置２０の外部に出た原稿を再び上方の原稿搬送装置２０内部に誘導する、原稿搬送方向と直角をなす原稿幅方向に長く延びる傾斜搬送ガイド５５とを備えた画像読取装置５０において、その傾斜搬送ガイド５５は、第２画像読取部５２の第２コンタクトガラス５４近傍に設けられたラベル形式の原稿サイズ指示部５５ｂと、この原稿サイズ指示部５５ｂと第２コンタクトガラス５４との間に設けられ、原稿幅方向に長く延びて上方に突出する突起部５５ｃとを備えているので、原稿サイズを指示するラベルの粘着面の箇所に、第２コンタクトガラス５４上の原稿や、使用者の手指、衣服などが侵入するのを阻止することができる。さらに、突起部５５ｃを設けることによって、傾斜搬送ガイド５５の原稿サイズ指示部５５ｂの箇所における原稿幅方向の剛性を高めることが可能である。これにより、傾斜搬送ガイド５５の、ラベル形式の原稿サイズ指示部５５ｂの剥がれや、その箇所における反りの発生を防止することができる。したがって、画像の読取りに係る安定した使い勝手を維持することが可能な画像読取装置５０を提供することができる。
【００５６】
また、突起部５５ｃは、第２コンタクトガラス５４が設けられた側の箇所に、原稿幅方向に長く延び、第２コンタクトガラス５４に接近するに従って下降する傾斜面５５ｄを有している。その結果、図６に示すように、第２コンタクトガラス５４に対向する形で上方の原稿搬送装置２０底面に設けられた原稿押さえ板３９（二点鎖線で描画）が、第２コンタクトガラス５４表面に当接する際、傾斜搬送ガイド５５側に寄った場合に、傾斜面５５ｄの傾斜を利用して第２コンタクトガラス５４側に移動させることができる。これにより、傾斜搬送ガイド５５の、原稿サイズ指示部５５ｂのラベルの剥がれや、その箇所における反りの発生を防止できることに加えて、第２コンタクトガラス５４上に載置された原稿を確実に押さえることが可能である。したがって、画像の読取りに係る使い勝手をさらに向上させ、高画質な画像の読取りが可能な画像読取装置５０を提供することができる。
【００５７】
また本発明では、上記原稿読取装置５０を画像形成装置１に搭載したので、第１画像読取部５１の箇所において下方に向かって原稿搬送装置２０の外部に出た原稿を再び上方の原稿搬送装置２０内部に誘導する傾斜搬送ガイド５５を備えた画像読取装置５０に関して、傾斜搬送ガイド５５の、ラベル形式の原稿サイズ指示部５５ｂの剥がれや、その箇所における反りの発生を防止して、画像の読取りに係る安定した使い勝手を維持することが可能な画像形成装置１を提供することができる。
【００５８】
以上、本発明の実施形態につき説明したが、本発明の範囲はこれに限定されるものではなく、発明の主旨を逸脱しない範囲で種々の変更を加えて実施することができる。
【産業上の利用可能性】
【００５９】
本発明は、複写機などに用いられる画像読取装置全般において利用可能である。
【図面の簡単な説明】
【００６０】
【図１】本発明の実施形態に係る画像読取装置を搭載した画像形成装置の模型的垂直断面正面図である。
【図２】図１の原稿搬送装置及び画像読取装置の模型的垂直断面正面図である。
【図３】図１の画像形成装置上部の模型的部分左側面図である。
【図４】図２の画像読取装置の第１画像読取部周辺を示す部分拡大垂直断面正面図である。
【図５】図４の第１画像読取部近傍の傾斜搬送ガイドを示す斜視図である。
【図６】図４の傾斜搬送ガイド周辺を示す部分拡大正面図である。
【符号の説明】
【００６１】
１    画像形成装置
２    本体
２０  原稿搬送装置
３０  原稿送り部
４０  読取ガイド部材
５０  画像読取装置
５１  第１画像読取部
５２  第２画像読取部
５３  第１コンタクトガラス
５４  第２コンタクトガラス（コンタクトガラス）
５５  傾斜搬送ガイド
５５ｂ  原稿サイズ指示部
５５ｃ  突起部
５５ｄ  傾斜面
【図１】
2010124285.tif 000003
【図２】
2010124285.tif 000004
【図３】
2010124285.tif 000005
【図４】
2010124285.tif 000006
【図５】
2010124285.tif 000007
【図６】
2010124285.tif 000008